(57)【要約】【課題】レーザダイオード交換時の光ファイバケーブルの接続に、融着接続またはメカニカルスプライス接続を用いる露光記録装置において、光ファイバケーブルの接続作業を安全かつ確実にしかも容易に行う。【解決手段】画像記録装置１０は、複数のレーザダイオード２０と、これらと一対一に結合した、光ファイバケーブル２４と光ファイバケーブル２６とを接続させた複数の光ファイバケーブルと、複数の光ファイバケーブルに導かれて複数のレーザ光を射出するビーム出射部３０とを有する光源部１２と、光源部１２を覆い、レーザダイオード２０の少なくとも１つと、これに結合した光ファイバケーブルとを外部に取り出す取出口５６を備え、取り出されたレーザダイオード及び光ファイバケーブルの交換用作業台等となる板部材５８を取出口５６の近傍に備える筐体１８と、を有する。【選択図】図１
2004216569.tif 000002
【特許請求の範囲】
【請求項１】
複数のレーザダイオードと、これらのレーザダイオードと一対一に結合した複数の光ファイバケーブルと、これらの光ファイバケーブルに導かれて複数のレーザ光をアレイ状に配列して射出するビーム出射部と、を有する光源部と、
この光源部からのレーザ光を所定の位置に集束させる光学系と、
前記光学系により集束したレーザ光で記録材料を露光記録する記録部と、
前記光源部、前記光学系および前記記録部を覆い、前記レーザダイオードの少なくとも１つとこのレーザダイオードに結合した光ファイバケーブルとを外部に取り出す取出口を有するとともに、取り出されたレーザダイオードおよび光ファイバケーブルの、交換用作業台または交換用工具載置台の少なくとも一つとなる板部材を前記取出口近傍に設けた筐体と、を備えたことを特徴とする露光記録装置。
【請求項２】
前記板部材は、前記筐体の前記取出口近傍に、前記筐体から突出して設けられたものである請求項１に記載の露光記録装置。
【請求項３】
前記板部材は、前記取出口の扉部材である請求項１に記載の露光記録装置。
【請求項４】
複数のレーザダイオードと、これらのレーザダイオードと一対一に結合した複数の光ファイバケーブルと、これらの光ファイバケーブルに導かれて複数のレーザ光をアレイ状に配列して射出するビーム出射部と、を有する光源部と、
この光源部からのレーザ光を所定の位置に集束させる光学系と、
前記光学系により集束したレーザ光で記録材料を露光記録する記録部と、
前記光源部、前記光学系および前記記録部を覆い、前記レーザダイオードの少なくとも１つとこのレーザダイオードと結合した光ファイバケーブルとを外部に取り出す取出口を有する筐体と、
前記筐体の前記取出口近傍の位置に着脱可能に取り付ける部材であって、前記取出口から取り出されたレーザダイオードおよび光ファイバケーブルの、交換作業台または交換用工具載置台の少なくとも一つとなる板部材と、を備えたことを特徴とする露光記録装置。
【請求項５】
前記光ファイバケーブルは、前記レーザダイオードと前記ビーム出射部との間に、融着接続されてスリーブで保護された接続部分、あるいはメカニカルスプライスによる接続部分を有し、
前記光源部は、前記接続部分を含む前記光ファイバケーブルの一部分を収納するとともに、前記スリーブあるいは前記メカニカルスプライスを固定保持する光ファイバケーブル収納部を有する請求項１〜４のいずれか１項に記載の露光記録装置。
【発明の詳細な説明】
【０００１】
【発明の属する技術分野】
本発明は、光ファイバケーブルを複数本配列した光ファイバアレイを用いて、記録材料を露光記録する露光記録装置に関する。
【０００２】
【従来の技術】
光ファイバアレイを用いて記録材料等を露光記録する露光記録装置として、回転するドラム表面に記録材料を固定保持し、この記録材料を光ファイバアレイから出射する高出力のレーザ光を用いて走査露光するアウタードラム方式の画像記録装置が知られている。
【０００３】
図７は、アウタードラム方式の画像記録装置１００の概略斜視図である。
画像記録装置１００は、光源として、高出力の複数のレーザダイオード１０２を有する光源部１０４と、光源部１０４からのレーザ光によって記録材料Ａを主走査して露光記録する記録部１０６と、光源部１０４から射出されるレーザ光を記録材料Ａ上に集束させる光学系１０８と、を有して構成される。
【０００４】
光源部１０４は、光源として複数のレーザダイオード１０２を有し、複数のレーザダイオード１０２と一対一に結合した光ファイバケーブル１１０を複数本束ね、所定のビーム出射口列が形成されたビーム出射部１１２を形成し、このビーム出射部１１２から所定の配列を形成してレーザ光を射出させるように構成される。
記録部１０６は、記録材料Ａを表面に保持し一定速度でｙ方向に回転するドラム１１４とを有して構成される。
一方、光学系１０８は、コリメートレンズ１１６と、アパーチャ１１８と、結像レンズ１２０とを有して構成される。
また、ビーム射出部１１２と光学系１０８は、ドラム１１４の回転軸方向（ｘ方向）に沿って移動できる移動台１２２に固定され、移動台１２２がボールネジ機構１２４によって移動するように構成されている。
光源部１０４、記録部１０６および光学系１０８は、筐体１２６によって覆われている。
【０００５】
一方、光ファイバケーブル１１０は、レーザダイオード１０２とビーム出射部１１２間の距離に比べてケーブル長が十分に長くなっており、余長部分１２８が設けられている。これは、レーザダイオード１０２を交換し、光ファイバケーブルを融着接続またはメカニカルスプライス接続をする際に、光ファイバケーブルを切断し被膜を剥離する等の前処理が必要となるためである。
【０００６】
すなわち、レーザダイオード１０２は経時劣化や摩耗故障などにより永続的に使用できるというものではないため、交換が必要となる。ここでレーザダイオード１０２は光ファイバケーブル１１０と結合しているため、交換においては、交換するレーザダイオードと接合した光ファイバケーブルを切断し、交換するレーザダイオードとこのレーザダイオードに結合した光ファイバケーブルとを一体的に取り外し、新しいレーザダイオードを取り付けるとともに、この新しいレーザダイオードに結合した光ファイバケーブルと、ビーム出射部１１２から延びる光ファイバケーブルとを、融着接続またはメカニカルスプライス接続する必要がある。そうして、融着接続またはメカニカルスプライス接続をするために、前処理として光ファイバケーブルを切断し、被膜を剥離すること等が必要となるため、レーザダイオード交換頻度に応じた余長部分１２８が光ファイバケーブル１１０に必要となる。
なお、融着接続は光ファイバを放電等により溶かして接続し、接続部分をＳＵＳ等の細い金属棒と熱収縮チューブからなる、長さ６０ｍｍ程度のスリーブ１３０で保護する。また、メカニカルスプライス接続はＶ溝やキャピラリ等を有する長さが６０ｍｍ程度のメカニカルスプライスを用いて、光ファイバケーブルを接続する。
【０００７】
ところで、実際にレーザダイオードを交換して光ファイバケーブルを融着接続する場合、光ファイバケーブルを保持する光ファイバホルダ、光ファイバを覆う被覆樹脂を取り除く光ファイバストリッパ、光ファイバの先端を切断する光ファイバカッタ、さらには光ファイバ融着接続機等の専用工具（治具）や、切断した光ファイバの切断面を清掃するエタノール等の薬品を用いて作業を行うための場所や、作業中に専用工具等を置く場所が必要となる。
また、光ファイバケーブルは高価なため必要以上に長くできず、また、光ファイバの径は５０〜２５０μｍと細く、折れやすいので必要以上に変形することができないことから、光ファイバケーブルを融着接続するための作業場所が、光ファイバケーブルの切断部分の近傍にあることが望ましい。
ところが、上記画像記録装置には、レーザダイオードを交換して光ファイバケーブルを融着接続するために必要な作業スペースや、専用工具等を置くスペースが、確保されていないのが現状である。
【０００８】
また、融着接続の替りにメカニカルスプライス接続を用いた場合にも、接続工具本体、光ファイバホルダおよび光ファイバストリッパ等の専用工具を用いてレーザダイオードを交換して光ファイバケーブルをメカニカルスプライス接続するための作業場所や専用工具を置く場所が、光ファイバケーブルの切断部分の近傍に必要である。
【０００９】
一方、融着接続やメカニカルスプライス接続の替りに、図８に示すように光コネクタ１３２を用いて接続することもできる。
光コネクタ１３２は、主に光通信分野に使用されるもので、ＳＣ型やＭＵ型等さまざまな種類のものがある。例えば、ＳＣ型の光コネクタは、光ファイバケーブルの先端にプラグを取り付け、光ファイバケーブルを接続する際には、アダプタを介してプラグの先端を密着させて接続するが、プラグがプッシュプルタイプになっていて着脱が非常に容易となっている。
しかし、光コネクタを用いて接続する場合と、融着接続またはメカニカルスプライス接続とを比較すると、下記の点で光コネクタを用いて接続する場合が劣っており、画像記録装置のレーザダイオードを交換する際の光ファイバケーブルの接続には、融着接続またはメカニカルスプライス接続を用いる方が有利である。すなわち、光コネクタを用いて接続する場合は、レーザダイオードと同数の高価な光コネクタを備える必要があり、レーザダイオードの交換頻度や画像記録装置の製品寿命等から算出されるトータルのコストを比較すると、融着接続およびメカニカルスプライス接続に比べ、光コネクタを用いて接続する場合の方が高くついてしまう点であり、また、光コネクタを用いて接続する場合は、融着接続あるいはメカニカルスプライス接続に比べて、接続損失が大きく、高出力のレーザ光を射出するレーザダイオードを有効に用いることができない点である。
【００１０】
【発明が解決しようとする課題】
そこで、本発明は上記問題点を解消し、レーザダイオード交換時の光ファイバケーブルの接続に、融着接続またはメカニカルスプライス接続を用いる画像記録装置等をはじめとする露光記録装置において、光ファイバケーブルの接続作業を安全かつ確実にしかも容易に行うことができる露光記録装置を提供することを目的とする。
【００１１】
【課題を解決するための手段】
上記目的を達成するために、本発明は、複数のレーザダイオードと、これらのレーザダイオードと一対一に結合した複数の光ファイバケーブルと、これらの光ファイバケーブルに導かれて複数のレーザ光をアレイ状に配列して射出するビーム出射部と、を有する光源部と、この光源部からのレーザ光を所定の位置に集束させる光学系と、前記光学系により集束したレーザ光で記録材料を露光記録する記録部と、前記光源部、前記光学系および前記記録部を覆い、前記レーザダイオードの少なくとも１つとこのレーザダイオードに結合した光ファイバケーブルとを外部に取り出す取出口を有するとともに、取り出されたレーザダイオードおよび光ファイバケーブルの、交換用作業台または交換用工具載置台の少なくとも一つとなる板部材を前記取出口近傍に設けた筐体と、を備えたことを特徴とする露光記録装置を提供する。
【００１２】
ここで、前記板部材は、例えば、前記筐体の前記取出口近傍に、前記筐体から突出して設けられたものであり、あるいは、前記取出口の扉部材である。
【００１３】
また、本発明は、複数のレーザダイオードと、これらのレーザダイオードと一対一に結合した複数の光ファイバケーブルと、これらの光ファイバケーブルに導かれて複数のレーザ光をアレイ状に配列して射出するビーム出射部と、を有する光源部と、この光源部からのレーザ光を所定の位置に集束させる光学系と、前記光学系により集束したレーザ光で記録材料を露光記録する記録部と、前記光源部、前記光学系および前記記録部を覆い、前記レーザダイオードの少なくとも１つとこのレーザダイオードと結合した光ファイバケーブルとを外部に取り出す取出口を有する筐体と、前記筐体の前記取出口近傍の位置に着脱可能に取り付けられる部材であって、前記取出口から取り出されたレーザダイオードおよび光ファイバケーブルの、交換作業台または交換用工具載置台の少なくとも一つとなる板部材と、を備えたことを特徴とする露光記録装置を提供する。
【００１４】
また、前記露光記録装置の前記光ファイバケーブルは、前記レーザダイオードと前記ビーム出射部との間に、融着接続されてスリーブで保護された接続部分、あるいはメカニカルスプライスによる接続部分を有し、前記光源部は、前記接続部分を含む前記光ファイバケーブルの一部分を収納するとともに、前記接続前記スリーブあるいは前記メカニカルスプライスを固定保持する光ファイバケーブル収納部を有するのが好ましい。
【００１５】
【発明の実施の形態】
以下、本発明の露光記録装置について、添付の図面に示される好適実施例を基に詳細に説明する。
【００１６】
図１は、本発明の露光記録装置の一例である画像記録装置１０の概略斜視図である。
図１に示す画像記録装置１０は、副走査方向に所定間隔を空けて配置される複数のレーザ光を射出する光源部１２と、これらのレーザ光によって記録材料Ａを主走査して露光記録する記録部１４と、光源部１２から射出されるレーザ光を記録材料Ａ上に集束させる光学系１６と、光源部１２、記録部１４および光学系１６を覆う筐体１８とを有する。
【００１７】
図１において、光源部１２は、複数のレーザダイオード２０と、これらのレーザダイオード２０をそれぞれ固定し、レーザダイオード２０の熱を伝導させて所定の温度に保持するためのヒートシンク２２と、複数のレーザダイオード２０と一対一に結合した複数の光ファイバケーブル２４と、後述するビーム出射部３０から延びる複数の光ファイバケーブル２６と、これらの光ファイバケーブル２４と光ファイバケーブル２６とを接続する部分を収納する複数の収納トレイ２８と、複数の接続した光ファイバケーブル２４と光ファイバケーブル２６とに導かれて複数のレーザ光をアレイ状に配列して射出するビーム出射部３０とを有して構成される。
光ファイバケーブル２４と光ファイバケーブル２６の総ケーブル長がレーザダイオード２０とビーム出射部３０間の距離よりも十分に長くなるように、光ファイバケーブル２４と光ファイバケーブル２６はそれぞれに余長部分が設けられ、これらの余長部分は収納トレイ２８に収納されている。
なお、光ファイバケーブル２４と光ファイバケーブル２６が接続されて、それぞれのレーザダイオード２０と一対一に結合した１本の光ファイバケーブルが形成される。
【００１８】
記録部１４は、露光記録を行う部分で、その外周面に記録材料Ａを保持して主走査方向（ｙ方向）に回転するドラム３２と、このドラム３２を回転駆動する駆動源（図示せず）とを備える。
光学系１６は、コリメートレンズ３４と、アパーチャ３６と、結像レンズ３８とを有し、ビーム出射部３０から射出されたレーザ光の像を所定のスポットサイズで、ドラム３２の外周の記録材料Ａ上に結像させる縮小光学系である。
また、光学系１６およびビーム出射部３０は、ドラム３２の回転軸方向（ｘ方向）に沿って移動できる移動台４０上に固定され、移動台４０がボールネジ機構４２によって移動するように構成されている。
【００１９】
したがって、画像記録装置１０は、記録材料Ａをドラム３２がｙ方向に回転することによりｙ方向に露光記録するとともに移動台４０がｘ方向に移動することによりｘ方向に露光記録するので、記録材料Ａ上に２次元画像を露光記録することができる。
なお、本実施例では、記録材料Ａを主走査させる装置にアウタードラムを使用したが、本発明においてこれに限定されず、平面台を使用したフラットベット方式の画像記録装置に適用してもよい。
【００２０】
収納トレイ２８は、光ファイバケーブル２４と光ファイバケーブル２６の余長部分と、光ファイバケーブル２４と光ファイバケーブル２６の接続部分とを収納するものである。
光ファイバケーブル２４と光ファイバケーブル２６は、融着接続されていて、接続部分はＳＵＳ等の細い金属棒と熱収縮チューブからなる長さ６０ｍｍ程度のスリーブで被覆され、保護されている。このスリーブは収納トレイ２８の所定の位置に固定支持される。
【００２１】
図２は、収納トレイ２８の概略斜視図である。収納トレイ２８は、トレイ本体４４と蓋４６からなる。トレイ本体４４には切り欠かれた２つの開口部４８ａ（図３参照），４８ｂがあり、収納された光ファイバケーブル２４と光ファイバケーブル２６の余長部分は、この開口部４８ａ，４８ｂから収納トレイ外に延出する。
【００２２】
図３は、トレイ本体４４の構成を示した図である。
トレイ本体４４の内部には、接続部分を被覆するスリーブを固定支持する固定ガイド５０ａ１  〜５０ａ４  、５０ｂ１  〜５０ｂ４  、５０ｃ１  〜５０ｃ４  と、接続した光ファイバケーブル２４と光ファイバケーブル２６の余長部分を屈曲しないように円弧状に沿わせて収納するガイド５２ａ１  、５２ａ２  、５２ｂ１  、５２ｂ２  と、を有する。
【００２３】
図４（ａ）は、固定ガイド５０ａ１  ，５０ａ２  ，５０ｂ１  ，５０ｂ２  を用いてスリーブ５４を固定支持している図であり、図４（ｂ）は、固定ガイド５０ａ１  ，５０ａ２  ，５０ｂ１  ，５０ｂ２  で固定支持したスリーブ５４から延びる光ファイバケーブル２４と光ファイバケーブル２６の余長部分を、ガイド５２ａ１  ，５２ａ２  ，５２ｂ１  ，５２ｂ２  に沿って収納した状態を示す図である。
【００２４】
なお、本実施例において、収納トレイ２８は、１本の接続した光ファイバケーブル２４と光ファイバケーブル２６の、接続部分を含む余長部分を収納するものであるが、２本以上の接続した光ファイバケーブル２４と光ファイバケーブル２６の、接続部分を含む余長部分を同時に収納するものであってもよい。
【００２５】
一方、筐体１８は、光源部１２、記録部１４および光学系１６を覆い、防塵や安全性等を確保している。
光ファイバケーブル２４，２６の接続部分の近傍、すなわち、収納トレイ２８の近傍の筐体１８側面には、レーザダイオード２０の少なくとも１つと、このレーザダイオードに結合した１本の光ファイバケーブルとを筐体１８の外部に取り出す取出口５６が設けられるとともに、取り出されたレーザダイオードおよび光ファイバケーブルの交換用作業台となる板部材５８が、取出口５６の近傍の筐体１８側面に突出して設けられる。すなわち、レーザダイオード２０の１つが寿命や故障等により交換を必要とする場合、交換を必要とするレーザダイオードをヒートシンク２２から取り外すとともに、交換を必要とするレーザダイオードに対応した収納トレイ２８を取出口５６から取り出し、板部材５８上でレーザダイオードの交換作業を行うことができる。
【００２６】
交換作業は、取り出した収納トレイ２８内から、光ファイバケーブル２４と光ファイバケーブル２６の余長部分と、光ファイバケーブル２４と光ファイバケーブル２６の接続部分を取り出して、切断し、交換を必要とするレーザダイオードと、このレーザダイオードに結合した光ファイバケーブルとを一体的に取り外す。そうして、新しいレーザダイオードをヒートシンク２２に取り付け、この新しいレーザダイオードに結合した光ファイバケーブルと切断されたビーム出射部３０から延びる光ファイバケーブルとを融着接続し、この接続部分をスリーブで被覆して保護する。そうして、このスリーブを収納トレイ２８の固定ガイド５０に固定支持するとともに、光ファイバーケーブルの余長部分を収納トレイ２８内に、ガイド５２に沿って収納する。
なお、光ファイバケーブルを切断し接続する部分は、必ずしもすでに融着接続された部分である必要はなく、余長部分であればどこで切断し接続してもよい。この場合、切断箇所が光ファイバケーブル２４の部分であると、すでに融着接続されている部分を保護するスリーブ５４がビーム出射部３０から延びる光ファイバケーブルに残り、このスリーブ５４が付いた光ファイバケーブルと新しいレーザダイオードに結合した光ファイバケーブルを融着接続し、この接続部分を保護するため新たなスリーブで被覆するのでスリーブの数が増加する。収納トレイ２８は、これらのスリーブ全てを内部で固定支持する。このため、光ファイバケーブル２４の切断箇所は、全てのスリーブがトレイ本体４４の固定ガイド５０に固定できるように、固定ガイド５０の位置に合わせなければならない。ただし、光ファイバケーブル２４の部分を何度も切断し接続すると、スリーブの個数が、固定ガイド５０により固定支持できる個数を越えてしまう。このため、切断箇所は固定ガイド５０に全てのスリーブが固定支持されるように、余長部分において適宜選定する。
なお、本実施例では、収納トレイ２８の固定ガイド５０によるスリーブの固定箇所が４カ所であるが、本発明では１カ所以上であればよく、また、１つの固定箇所に１つのスリーブを固定支持したが、１つの固定箇所に数個のスリーブを重ねて固定支持できるようにしてもよい。
【００２７】
なお、交換作業は、光ファイバホルダ、光ファイバストリッパ、光ファイバカッタ、光ファイバ融着接続機等の専用工具（治具）とエタノール等の薬品を用いて、筐体１８の側面から突出した板部材５８を作業台にして行われるが、板部材５８は専用工具等を載置する台としても使用できる。このことにより作業者の手の届く範囲に専用工具等が置かれるので、光ファイバケーブルの接続作業を円滑に、安全かつ確実に、しかも容易に行うことができる。すなわち、板部材５８は交換用工具載置台としても用いることができる。
また、板部材５８は、交換用工具載置台として専用に使用してもよい。
【００２８】
本実施例では、筐体１８の側面に突出させて作業台等となる板部材５８を設けているが、この板部材５８の替わりに、図５に示すように、取出口５６近傍の筐体１８側面に、上部に開口を有する支持部材６０を設け、作業台等となる、端部が屈曲した板部材６２を脱着可能に備えるようにしてもよい。
また、図６に示すように、取出口５６を開けるとその扉自体が、作業台等となる板部材６４であるようにしてもよい。すなわち、作業台等となる板部材６４が取出口５６の扉部材であってもよい。
なお、本実施例では、筐体１８の側面に、取出口５６と作業台等となる板部材を設けたが、画像記録装置の形状や光ファイバケーブル接続部分の位置によっては、筐体１８の上面に取出口を設け、この取出口近傍の筐体１８上面を平面となるようにして、作業台等として用いてもよい。
【００２９】
なお、上記実施例では、レーザダイオードの交換に伴う光ファイバケーブルの接続を融着接続によって行うものであるが、融着接続の替りにメカニカルスプライス接続によって行ってもよい。メカニカルスプライス接続の場合においても、接続工具本体、光ファイバホルダおよび光ファイバストリッパ等の交換作業用の専用工具を用いて、レーザダイオードを交換し光ファイバケーブルを接続するための作業台が必要であり、取出口５６近傍に設けられた板部材は、この交換用作業台となる。さらに、この板部材は、作業時にメカニカルスプライス接続工具本体等の専用工具を載置する交換用工具載置台としても使用することができ、また、交換用工具載置台として専用に使用することもできる。
【００３０】
なお、本実施例では筐体１８の外側に作業台等となる板部材を設けたが、本発明はこれに限定されず、光ファイバケーブルの接続部分の近傍に設けられ、レーザダイオードの交換作業が、安全で確実かつ容易にできる場所であれば、いずれであってもよい。
また、本発明の露光記録装置として、記録材料に画像を露光記録する画像記録装置を実施例として説明したが、本発明では、画像記録装置に限らず、複数の光ファイバを用いてレーザ光を露光記録する露光記録装置であれば、いずれであってもよい。
【００３１】
以上、本発明の露光記録装置について詳細に説明したが、本発明は上記実施例に限定はされず、本発明の要旨を逸脱しない範囲において、各種の改良および変更を行ってもよいのはもちろんである。
【００３２】
【発明の効果】
以上、詳細に説明したように、本発明では、筐体に、レーザダイオードの少なくとも１つと、このレーザダイオードと一対一に結合した光ファイバケーブルとを外部に取り出すための取出口が設けられ、取り出されたレーザダイオードと光ファイバケーブルを交換するための作業台等となる板部材が、取出口の近傍に設けられるので、レーザダイオード交換時、光ファイバケーブルの接続作業を円滑に、安全かつ確実に、しかも容易に行うことができる。
【図面の簡単な説明】
【図１】本発明の画像記録装置の一実施例の概略斜視図である。
【図２】本発明の画像記録装置に用いる光ファイバケーブルの収納トレイの一例を示す斜視図である。
【図３】図２に示す収納トレイのトレイ本体の構成を示す斜視図である。
【図４】（ａ）および（ｂ）は、図２に示す収納トレイのトレイ本体における光ファイバケーブルの収納方法を説明する図である。
【図５】本発明の画像記録装置における筐体の他の例を示す斜視図である。
【図６】本発明の画像記録装置における筐体の他の例を示す斜視図である。
【図７】従来の画像記録装置の概略斜視図である。
【図８】従来の画像記録装置における光ファイバケーブルの接続方法を説明する図である。
【符号の説明】
１０，１００  画像記録装置
１２，１０４  光源部
１４，１０６  記録部
１６，１０８  光学系
１８，１２６  筐体
２０，１０２  レーザダイオード
２２  ヒートシンク
２４，２６，１１０  光ファイバケーブル
２８  収納トレイ
３０，１１２  ビーム出射部
３２，１１４  ドラム
３４，１１６  コリメートレンズ
３６，１１８  アパーチャ
３８，１２０  結像レンズ
４０，１２２  移動台
４２，１２４  ボールネジ機構
４４  トレイ本体
４６  蓋
４８ａ，４８ｂ  開口部
５０ａ１  〜５０ａ４  ，５０ｂ１  〜５０ｂ４  ，５０ｃ１  〜５０ｃ４    固定ガイド
５２ａ１  ，５２ａ２  ，５２ｂ１  ，５２ｂ２      ガイド
５４，１３０  スリーブ
５６  取出口
５８，６２，６４  板部材
６０  保持部材
１３２  光コネクタ
【図１】
2004216569.tif 000003
【図２】
2004216569.tif 000004
【図３】
2004216569.tif 000005
【図４】
2004216569.tif 000006
【図５】
2004216569.tif 000007
【図６】
2004216569.tif 000008
【図７】
2004216569.tif 000009
【図８】
2004216569.tif 000010